(57)【特許請求の範囲】
【請求項１】
燃焼室内に、口火用のパイロットバーナと、該パイロットバーナの炎によって着火するメインバーナと、前記パイロットバーナに点火する点火手段とが設けられ、前記パイロットバーナに燃料ガスを供給するガス供給手段と、手動により操作される器具栓とを有して、該器具栓を消火位置から点火位置に移動させる点火操作が行われたときに前記パイロットバーナへの点火動作を行い、前記器具栓を前記点火位置からメインバーナへの着火位置に移動させる着火操作が行われたときに燃料ガスが供給されている前記メインバーナに前記パイロットバーナの火を着火する着火動作を行う燃焼装置において、前記パイロットバーナへの点火操作が行われたにもかかわらず前記パイロットバーナに点火が行われなかった点火不良回数と、前記メインバーナへの着火操作が行われたにもかかわらず前記メインバーナに着火が行われなかった着火不良回数と、前記メインバーナの燃焼中に炎が消えた炎立ち消え回数とのうち前記炎立ち消え回数を含む２つ以上を検出する回数検出手段を有し、前記パイロットバーナへの再点火動作の禁止を判断するための条件として前記点火不良回数と前記着火不良回数と前記炎立ち消え回数のうち前記炎立ち消え回数を含む２つ以上の判断基準回数が設定され、前記回数検出手段により検出される前記炎立ち消え回数を含む２つ以上の検出値を対応する前記判断基準回数と比較し、該比較した検出値の少なくとも一つが対応する前記判断基準回数に達したときには全てのバーナの燃焼を強制的に停止すると共にその後パイロットバーナの再点火操作が行われても設定禁止期間は前記点火手段による前記パイロットバーナの点火動作を強制的に禁止し、前記設定禁止期間経過後に前記パイロットバーナの点火動作の強制的な禁止を解除する燃焼強制禁止制御手段を有し、該燃焼強制禁止制御手段は、炎立ち消え不良によってバーナの燃焼を強制的に停止したときには、炎の立ち消えが起こる燃焼装置の不適切な使用環境状況が止んだか否かを判断する間隔時間として予め設定された設定禁止期間の経過後にはパイロットバーナの点火動作を禁止しないことを特徴とする燃焼装置。
【請求項２】
回数検出手段は、炎立ち消え回数の他に点火不良回数と着火不良回数の一方または両方を検出する構成と成し、燃焼強制禁止制御手段は、点火不良と着火不良のいずれか一方によってバーナの燃焼を強制的に停止したときには前記点火または着火の操作によりバーナから出て当該バーナを収容している燃焼装置のケースの底に溜まった燃料の生ガスを換気するのに要する時間として予め設定された設定禁止期間の経過後にはパイロットバーナの点火動作を禁止しないことを特徴とする請求項１記載の燃焼装置。
【請求項３】
器具栓を消火位置から点火位置に移動させてパイロットバーナへの点火操作を１回行う毎に、前記器具栓を前記点火位置から前記消火位置に戻してからでないと前記パイロットバーナの再点火操作を行えない構成と成していることを特徴とする請求項１または請求項２記載の燃焼装置。
【請求項４】
点火手段はイグナイタにより形成されており、燃焼強制禁止制御手段は前記イグナイタへの通電を強制的に禁止してイグナイタ電極により火花を飛ばす動作を禁止することによってパイロットバーナの点火動作を強制的に禁止することを特徴とする請求項１または請求項２または請求項３記載の燃焼装置。
【発明の詳細な説明】
【技術分野】
【０００１】
本発明は、燃焼室内に口火用のパイロットバーナと、パイロットバーナの口火によって着火するメインバーナとを備え、乾電池を電源とした燃焼装置に関するものである。
【背景技術】
【０００２】
図５には、本願発明者が開発中の燃焼装置が模式的なシステム図により示されている。なお、このシステム構成は、後述する実施例にも適用される。この燃焼装置は、例えば浴室に配置され、バランス型風呂釜と呼ばれている装置である。この装置は、口火用のパイロットバーナ３８と、給湯メインバーナ１０と、風呂の追い焚き用の風呂メインバーナ３９とを有しており、パイロットバーナ３８に供給される燃料ガスに点火するイグナイタ電極４３が設けられている。このイグナイタ電極４３および前記各バーナ３８，１０，３９は金属製のケースに覆われている燃焼室６０内に設けられており、燃焼室６０には、空気の吸気口（図示せず）と、バーナ３８，１０，３９の燃焼ガスの排気口１７とが設けられている。
【０００３】
なお、給湯メインバーナ１０には能力切り替えつまみ４９が設けられており、燃焼装置の設置時等に、能力切り替えつまみ４９の手動操作によって給湯メインバーナ１０の燃焼能力（燃料ガスの供給量）が設定されるが、その後は、設定された能力で燃焼が行われる（給湯メインバーナ１０の燃焼が行われる毎に可変されることはない）。
【０００４】
風呂メインバーナ３９の上部側には、風呂メインバーナ３９によって加熱される風呂追い焚き熱交換器４０が設けられ、給湯メインバーナ１０の上部側には、給湯メインバーナ１０により加熱される給湯熱交換器７が設けられている。給湯熱交換器７の出側には給湯ハイリミットスイッチ４７が設けられており、風呂追い焚き熱交換器４０には風呂ハイリミットスイッチ４６が設けられている。なお、符号４５は、過熱防止装置を示す。
【０００５】
給湯熱交換器７には、該給湯熱交換器７に水を導入する給水導入通路１９と、給湯熱交換器７を通って加熱された水を給湯先に導く給湯通路１１とが接続されている。給湯通路１１の先端側には給湯栓９が設けられており、この例では、給湯栓９が切り替えレバー方式の栓で形成されている。この種の給湯栓９は、レバーの切り替えによって、給湯通路１１を通った湯を、カラン側の出湯管３０側とシャワー側通路３１のいずれかから選択的に出湯させるものであり、同図では、出湯管３０側から出湯されるように選択した状態が示されている。符号５７は逆止弁、５８は熱湯遮断弁をそれぞれ示す。
【０００６】
前記給水導入通路１９には、水量調節機構２１が接続されており、水量調節機構２１には、水ガバナー１５、ダイヤフラムケース（ダイヤフラム室）１３、水量調節室２０が設けられている。ダイヤフラムケース１３には、ダイヤフラム１４が設けられており、このダイヤフラム１４によって、ダイヤフラムケース１３内が、一次室１３ａと二次室１３ｂとに区分けされている。水量調節室２０には温度調節子２３が設けられており、温度調節子２３は、温度調節つまみ２２に接続されている。
【０００７】
また、水量調節機構２１には、水量調節機構２１に水を供給する給水通路８と、水量調節機構２１から水を導出する通路１６と、排水通路２４とが接続されている。給水通路８にはフィルタ２５が介設され、排水通路２４には水抜き栓２６が設けられている。
【０００８】
前記給湯メインバーナ１０には、ガス供給手段としてのガス通路３２が接続されており、該ガス通路３２は、水圧自動ガス弁３３と、器具栓３４とを介し、ガス導入通路３５に接続されている。なお、符号５１は水自弁スイッチを示す。器具栓３４の下部側にはガスの電磁弁５４が設けられており、水圧自動ガス弁３３は、前記ダイヤフラム１４に連結して設けられている。
【０００９】
ガス導入通路３５は、燃料ガスを燃焼装置に外部から導入するものであり、ガス導入通路３５から導入される燃料ガスが、器具栓３４を介してガス通路３２を通り、給湯メインバーナ１０に供給される。また、器具栓３４には、ガス供給手段としてのガス通路３６，３７が接続されており、ガス導入通路３５から器具栓３４まで導入された燃料ガスが、ガス通路３６を通してパイロットバーナ３８に導入され、ガス通路３７を通して風呂メインバーナ３９に供給される構成を成している。
【００１０】
なお、同図には図示されていないが、パイロットバーナ３８の炎口の近傍には、炎口から出る炎の熱をその熱による起電力により検出する熱電対と、パイロットバーナ３８の炎を検出するためのフレームロッド電極とが設けられている。熱電対は電磁弁５４に電気的に接続されている。
【００１１】
前記器具栓３４は、器具栓つまみ（操作つまみ）４８とシャフト５０と手動開閉通路である閉子５３を有して形成され、器具栓つまみ４８の手動操作に応じてシャフト５０と閉子５３が図５の矢印に示すように、上下したり回転したりすることによって、手動により操作される。器具栓つまみ４８は、図４（ａ）に示すように、回動自在に形成されて、この例ではつまみの印が付いている側を「止」、「口火」、「給湯・シャワー」、「追いだき」のいずれかの位置に適宜合わせることにより、パイロットバーナ３８、給湯メインバーナ１０、風呂メインバーナ３９のうちの対応するバーナへの点火や着火が行われるようになっている。
【００１２】
以下、これらのバーナへの点火や着火動作について、図７〜図１２を参照しながら簡単に説明する。シャフト５０には、図５に示すように、器具栓スイッチ５２（５２ａ，５２ｂ，５２ｃ）が設けられ、これらのスイッチは、マイクロスイッチにより形成されている。図７のステップＳ１で、器具栓つまみ４８を「止」の位置において下側に押し下げると、器具栓つまみ４８と共にシャフト５０が下がり、器具栓スイッチ５２ａがオン（５２ａオン，５２ｂオフ，５２ｃオフ）する（表１も参照）。
【００１３】
【表１】
0006010276.tif 000002
【００１４】
そして、このときの押し下げ力により、電磁弁５４が開き（図７のステップＳ２、参照）、燃料ガスがガス導入通路３５を通って器具栓３４の入口まで流入する。その状態で、図７のステップＳ３で、器具栓つまみ４８を「口火」の位置に回していき、その回転に伴い、図４（ｂ）に示すように、その回転角度θ（「止」の位置とつまみの印との角度）が例えば３３°となると、燃料ガスは器具栓３４の閉子５３に形成された口火用通路を通り（口火用通路が開き）、図７ステップＳ４のように、（口火用の）ガス通路３６が開くことになって、ガス通路３６に燃料ガスが導入されていき（つまり、器具栓３４が消火位置から点火位置に移動する間にガス通路３６から前記パイロットバーナ３８への燃料ガスの供給が開始し）、ガス通路３６の先端に設けられたパイロットノズルを経て、パイロットバーナ３８の一次空気孔から一次空気を吸引しながら炎口側（パイロットバーナヘッド）に流れる。
【００１５】
また、この燃料ガスの供給時に器具栓スイッチ５２ｃがオン（５２ａオン，５２ｂオフ，５２ｃオン）となり、図示されていない乾電池を電源とした、図示されていない燃焼制御部の制御によって、図７のステップＳ６で、図示されていないイグナイタ（点火トランス）への通電が行われ、イグナイタ電極４３の火花によるパイロットバーナ３８への点火が行われる。つまり、器具栓つまみ４８を「止」の位置から「口火」の位置に移動させて、器具栓３４を消火位置から点火位置に移動させる点火操作が行われたときに、燃焼装置は、前記のような点火動作を行う。
【００１６】
なお、図５に示す燃焼装置において、器具栓つまみ４８を「口火」の位置に回して器具栓つまみ４８を放す（押し下げる力を除く）と、シャフト５０が元の位置に戻り、器具栓スイッチ５２ａはオフ（５２ａオフ，５２ｂオフ，５２ｃオン）となるが（表１、参照）、器具栓つまみ４８を「口火」の位置に回した直後は図示されていない燃焼制御部の制御によって電磁弁５４に電流が流されて強制開状態に保たれる（図７のステップＳ７、参照）。その後、前記のようにパイロットバーナ３８の炎口近傍に設けられた熱電対（図示せず）の起電力が予め定められる電磁弁維持電圧以上になると、前記燃焼制御部の通電が停止される。すなわち、熱電対の起電力が発生する前の燃焼制御部の通電や、熱電対の起電力により、図７のステップＳ１１で器具栓つまみ４８から手を離しても（押し下げる力を除いても）、電磁弁５４が開状態に保たれる（図８のステップＳ２２、２３、参照）。ただし、電磁弁５４が開かれた直後には前記の如く電流を流すが、その通電は、熱電対の起電力が前記電磁弁維持電圧以上になると停止されるので、その後、熱電対の起電力が前記電磁弁維持電圧より下がると電磁弁５４が閉じる方向に動作する。
【００１７】
なお、電磁弁５４への通電や熱電対の起電力は、あくまで開状態に保つのみであり、器具栓つまみ４８を下側に押し下げていない状態で通電や熱電対の起電力相当を与えても開とはならない。また、熱電対を無くし、パイロットバーナ３８の燃焼中は、図示されていない燃焼制御部の制御によってのみの電流で開状態に保つようにしてもよい。
【００１８】
また、器具栓つまみ４８を「給湯・シャワー」や「追いだき」の位置に回していくと、燃料ガスが器具栓つまみ４８の回転角度に応じて閉子５３に形成されているガスメイン通路を通り、ガス通路３２，３７を通って給湯メインバーナ１０や風呂メインバーナ３９に供給される。例えば、図９のステップＳ１で、器具栓つまみ４８を「口火」から「給湯・シャワー」の位置に移動すると、その移動の間に器具栓スイッチ５２ｂがオン（５２ａオフ，５２ｂオン，５２ｃオン）し、給湯栓９の開により（図９のステップＳ７、参照）生じる通水に応じて生じる差圧で開閉する水圧自動ガス弁３３の開により（図９のステップＳ８、参照）、パイロットバーナ３８の口火が給湯メインバーナ１０に着火する。
【００１９】
また、図１１に示すように、ステップＳ１で器具栓つまみ４８を「追いだき」の位置に移動させると、その移動の間に器具栓スイッチ５２ｃがオフし（５２ａオフ，５２ｂオン，５２ｃオフ）、ステップＳ２に示すように、ガス通路３７が通じる（開く）ことにより風呂メインバーナ３９にガスが供給されてパイロットバーナ３８の口火が風呂メインバーナ３９に着火する（ステップＳ３、参照）。
【００２０】
以上のように、器具栓つまみ４８を「口火」の位置から「給湯・シャワー」の位置に移動させて、器具栓３４を点火位置から給湯メインバーナ１０の着火位置に移動させる着火操作や、「口火」の位置から「追いだき」の位置に移動させて、器具栓３４を点火位置から風呂メインバーナ３９の着火位置に移動させる着火操作が行われたときに、燃焼装置は、前記のような着火動作を行う。
【００２１】
さらに、図１２に示すように、そのステップＳ１で、器具栓つまみ４８を「止」の位置に戻すと、器具栓スイッチ５２ｂ，５２ｃがいずれもオフしてガス通路３６が閉じ（ステップＳ２、参照）、ステップＳ３で、器具栓つまみ４８を手から離すことにより器具栓スイッチ５２ａもオフし、電磁弁５４も閉じて（ステップＳ４、参照）、消火状態となる（ステップＳ５、参照）。なお、器具栓つまみ４８の「止」、「口火」、「給湯・シャワー」、「追いだき」の各位置における器具栓スイッチ５２ｂ，５２ｃのオン・オフの状態は、表２に示すようになる。また、器具栓スイッチ５２ａ，５２ｂ，５２ｃのオン・オフの状態は、図８、図９、図１２にも示されており、図８、図９、図１２において、器具栓つまみ４８の「給湯・シャワー」の表記を省略し、「給湯」と示している。燃焼装置において、器具栓つまみ４８の表記は、このように、「給湯・シャワー」の代わりに「給湯」としてもよい。
【００２２】
【表２】
0006010276.tif 000003
【００２３】
この燃焼装置において、給水栓（図示せず）を開くと、水は、給水通路８を通って水ガバナー１５を通り、ダイヤフラムケース１３の一次室１３ａへと流れ、水量調節子２３により分岐して、その一方は、通路１６を通り、給湯通路１１側に導かれる。他方は、給水導入通路１９、給湯熱交換器７を通って給湯通路１１側に導かれ、給湯通路１１から出湯管３０（またはシャワー側通路３１）へ流れて出水される。
【００２４】
また、器具栓つまみ４８を「給湯・シャワー」の位置に合わせることにより、燃料ガスは、水圧自動ガス弁３３の配設位置まで流れる。この状態で給湯栓９を開き、給水通路８を通して水が流れ始めると、この水がダイヤフラムケース１３の一次室１３ａから通路１６を通り、通水による圧力損失で得られる低圧力が通路１６によりダイヤフラム二次室１３ｂに伝えられ、一次室１３ａ（高圧）との差圧がダイヤフラム１４の面積により荷重として働き、ダイヤフラム１４が二次室１３ｂ側へと移動する。
【００２５】
この結果、ダイヤフラム１４と連結された水圧自動ガス弁３３が開き、燃料ガスがガス通路３２を通って給湯メインバーナ１０に供給され、前記の如く、パイロットバーナ３８の口火から給湯メインバーナ１０に着火する。このように、給湯メインバーナ１０は、給湯栓９が開かれることにより流れる（燃焼装置に導入される）水の量が予め定められた設定作動流量以上となったときに燃焼を開始する。そして、この給湯メインバーナ１０の燃焼によって、給湯熱交換器７を通る水が加熱され、出湯管３０（またはシャワー側通路３１）から出湯される。
【００２６】
また、図５には示されていないが、風呂追い焚き熱交換器４０は風呂循環通路を介して浴槽に接続されており、その接続部（上部循環口）よりも例えば１０ｃｍ以上高い位置まで湯または水を入れた状態で、器具栓つまみ４８を「追いだき」の位置に合わせることにより、燃料ガスが通路３６を通って風呂メインバーナ３９に供給され、前記の如く、パイロットバーナ３８の口火から風呂メインバーナ３９に着火し、風呂追い焚き熱交換器４０を循環して浴槽内の湯水の加熱が行われる。
【００２７】
なお、バランス型風呂釜等の燃焼装置において、イグナイタ電極４３の代わりに、圧電スパークによってパイロットバーナ３８への点火を行う点火プラグを設けたバランス型風呂釜も用いられており、この点火プラグが設けられた構成の燃焼装置の場合は、器具栓つまみ４８を「口火」の状態として点火装置のハンドルを手動により回転させることにより圧電素子を叩き、発生する高電圧を点火プラグにかけ、点火プラグから圧電スパーク（火花）を飛ばして点火が行える構成を成している。なお、手動により回転させるスピードを変えても圧電素子から発生する電圧、すなわち、点火プラグから放出される電圧に変化はない。
【発明の概要】
【発明が解決しようとする課題】
【００２８】
ところで、前記のような開発中のバランス型風呂釜において、パイロットバーナ３８への点火操作が行われたにもかかわらず前記パイロットバーナ３８に点火が行われなかったこと（点火不良）が連続して繰り返し生じると、パイロットバーナ３８に供給される燃料ガスに火がつかないまま、点火操作に応じて生ガスが供給され続けることになり、その燃料ガスがプロパンガスの場合には、生ガスがバーナの底部にたまる。その状態で再度点火操作を行ったときに初めてパイロットバーナ３８への点火が行われると、溜まった燃料ガスに一気に着火し、大きな音がして近所迷惑となったり、近くを歩く人が驚いたりするといった支障が生じる場合があった。
【００２９】
また、給湯メインバーナ１０や風呂メインバーナ３９への着火操作が行われたにもかかわらず、これらのメインバーナに着火が行われなかったことが生じたりした場合には、メインバーナ１０，３９に供給される燃料ガスに火がつかないまま、着火操作に応じて生ガスが供給され続けることになるため、その状態で一気に火が着くことは避けたい。さらに、メインバーナ１０，３９の燃焼中に炎が消えるのは（パイロットバーナ３８に点火しているにもかかわらず、炎の立ち消えが生じるのは）、図６（ａ）の矢印Ｗに示すような、屋外から入って燃焼装置のケース内（燃焼室内）を流れる風により燃料ガスが揺らぎ、その揺らぎが、図６（ｂ）に示すように大きくなったためと考えられ、この揺らぎによって燃料ガスがバーナの炎口に接しやすい状態であるために、一度炎が消えると、失火検知までの間に多くのガスが放出されると共に、例えば台風等、使用に適さない条件と考えられるので、継続しての使用は避けたい。なお、パイロットバーナ３８に点火しているにもかかわらず、メインバーナ１０，３９に着火が行われない場合の要因は、パイロットバーナ３８の複数の炎口（例えば、第１〜第３の炎口）のうち、メインバーナ１０，３９に面する炎口の炎のみ、風によって消えた場合や、消えていなくても、パイロットバーナ３８の炎とメインバーナ１０，３９に供給される燃料ガスとの間に風の流れが入り込み、火移りしない等の要因が考えられる。
【００３０】
しかしながら、このような、点火不良や着火不良（火移り不良）や炎の立ち消えが生じた際に、これらの状況を的確に判断し、台風等、不適切な状況での使用を回避し、また、再点火時に大きな着火音が生じる等の支障が生じることを防げる燃焼装置は提案されていなかった。
【００３１】
本発明は、前記課題を解決するために成されたものであり、その目的は、点火不良や着火不良や、炎立ち消えが起きる不適切な状況での使用や、その後の再点火時の大きな着火音発生等の支障が生じることを防げる燃焼装置を提供することにある。
【課題を解決するための手段】
【００３２】
本発明は上記目的を達成するために、次の構成をもって課題を解決する手段としている。すなわち、第１の発明は、燃焼室内に、口火用のパイロットバーナと、該パイロットバーナの炎によって着火するメインバーナと、前記パイロットバーナに点火する点火手段とが設けられ、前記パイロットバーナに燃料ガスを供給するガス供給手段と、手動により操作される器具栓とを有して、該器具栓を消火位置から点火位置に移動させる点火操作が行われたときに前記パイロットバーナへの点火動作を行い、前記器具栓を前記点火位置からメインバーナへの着火位置に移動させる着火操作が行われたときに燃料ガスが供給されている前記メインバーナに前記パイロットバーナの火を着火する着火動作を行う燃焼装置において、前記パイロットバーナへの点火操作が行われたにもかかわらず前記パイロットバーナに点火が行われなかった点火不良回数と、前記メインバーナへの着火操作が行われたにもかかわらず前記メインバーナに着火が行われなかった着火不良回数と、前記メインバーナの燃焼中に炎が消えた炎立ち消え回数とのうち前記炎立ち消え回数を含む２つ以上を検出する回数検出手段を有し、前記パイロットバーナへの再点火動作の禁止を判断するための条件として前記点火不良回数と前記着火不良回数と前記炎立ち消え回数のうち前記炎立ち消え回数を含む２つ以上の判断基準回数が設定され、前記回数検出手段により検出される前記炎立ち消え回数を含む２つ以上の検出値を対応する前記判断基準回数と比較し、該比較した検出値の少なくとも一つが対応する前記判断基準回数に達したときには全てのバーナの燃焼を強制的に停止すると共にその後パイロットバーナの再点火操作が行われても設定禁止期間は前記点火手段による前記パイロットバーナの点火動作を強制的に禁止し、前記設定禁止期間経過後に前記パイロットバーナの点火動作の強制的な禁止を解除する燃焼強制禁止制御手段を有し、該燃焼強制禁止制御手段は、炎立ち消え不良によってバーナの燃焼を強制的に停止したときには、炎の立ち消えが起こる燃焼装置の不適切な使用環境状況が止んだか否かを判断する間隔時間として予め設定された設定禁止期間の経過後にはパイロットバーナの点火動作を禁止しないことを特徴とする構成をもって課題を解決する手段としている。
【００３３】
また、第２の発明は、前記第１の発明の構成に加え、前記回数検出手段は、炎立ち消え回数の他に点火不良回数と着火不良回数の一方または両方を検出する構成と成し、燃焼強制禁止制御手段は、点火不良と着火不良のいずれか一方によってバーナの燃焼を強制的に停止したときには前記点火または着火の操作によりバーナから出て当該バーナを収容している燃焼装置のケースの底に溜まった燃料の生ガスを換気するのに要する時間として予め設定された設定禁止期間の経過後にはパイロットバーナの点火動作を禁止しないことを特徴とする。また、第３の発明は、前記第１または第２の発明の構成に加え、前記器具栓を消火位置から点火位置に移動させてパイロットバーナへの点火操作を１回行う毎に、前記器具栓を前記点火位置から前記消火位置に戻してからでないと前記パイロットバーナの再点火操作を行えない構成と成していることを特徴とする。
【００３４】
さらに、第４の発明は、前記第１または第２または第３の発明の構成に加え、前記点火手段はイグナイタにより形成されており、燃焼強制禁止制御手段は前記イグナイタへの通電を強制的に禁止してイグナイタ電極により火花を飛ばす動作を禁止することによってパイロットバーナの点火動作を強制的に禁止することを特徴とする。
【発明の効果】
【００３５】
本発明によれば、パイロットバーナへの点火操作が行われたにもかかわらずその点火が行われなかった点火不良回数と、メインバーナへの着火操作が行われたにもかかわらずその着火が行われなかった着火不良回数と、前記メインバーナの燃焼中に炎が消えた炎立ち消え回数のうち炎立ち消え回数を含む２つ以上を検出し、前記炎立ち消え回数を含む２つ以上の検出値をバーナの燃焼強制停止と再点火操作の禁止のための予め与えられた対応する判断基準回数と比較する。そして、その比較した検出値の少なくとも一つが対応する前記判断基準回数に達したときには、全てのバーナの燃焼を強制的に停止すると共に、その後、パイロットバーナの再点火操作が行われても予め定められた設定禁止期間は前記点火手段による前記パイロットバーナの点火動作を強制的に禁止するので、点火不良や着火不良や、炎立ち消えが起きる不適切な状況での使用や、その後の再点火時の大きな着火音発生等の支障が生じることを確実に防ぐことができる。
【００３６】
また、器具栓を消火位置から点火位置に移動させてパイロットバーナへの点火操作を１回行う毎に、前記器具栓を前記点火位置から前記消火位置に戻してからでないと前記パイロットバーナの再点火操作を行えない構成とすることにより、パイロットバーナの再点火操作の際には、一度器具栓を点火位置から消火位置に戻さなければならないので、この間に、燃料ガスが自然換気されるようにすることができ、パイロットバーナの点火不良によって生ガスが溜まる割合を小さくすることができ、点火不良によって溜まった生ガスに再点火により一気に火がつくことによって大きな着火音が発生することをより一層確実に防ぐことができる。
【００３７】
さらに、点火手段をイグナイタとして、燃焼強制禁止制御手段がイグナイタ電極により火花を飛ばす動作を禁止することによってパイロットバーナの点火動作を強制的に禁止することにより、燃焼強制禁止制御手段によるパイロットバーナの再点火動作の禁止を、非常に容易に、かつ、的確に行うことができる。
【図面の簡単な説明】
【００３８】
【図１】本発明に係る燃焼装置の一実施例の制御構成を示すブロック図である。
【図２】実施例に適用されているバーナを説明するための斜視図（ａ）とパイロットバーナの平面説明図（ｂ）である。
【図３】図２に示したバーナの構成を模式化して示す説明図である。
【図４】燃焼装置の器具栓つまみの例を示す平面図である。
【図５】開発中の燃焼装置であるバランス型風呂釜のシステム構成図である。
【図６】燃焼装置内に風が流れるときの燃料ガスの状態と、立ち消え発生時の燃料ガスの状態を模式的に示す説明図である。
【図７】実施例の燃焼装置の口火動作例を図８と共に示すフローチャートである。
【図８】実施例の燃焼装置の口火動作例を図７と共に示すフローチャートである。
【図９】実施例の燃焼装置の給湯動作例を図１０と共に示すフローチャートである。
【図１０】実施例の燃焼装置の給湯動作例を図９と共に示すフローチャートである。
【図１１】実施例の燃焼装置の追い焚き動作例を示すフローチャートである。
【図１２】実施例の燃焼装置の消火動作例を示すフローチャートである。
【発明を実施するための形態】
【００３９】
以下、本発明の実施の形態を図面に基づき説明する。なお、本実施例の説明において、従来例と同一名称部分には同一符号を付し、その重複説明は省略または簡略化する。
【実施例】
【００４０】
本実施例の燃焼装置は、図５に示した燃焼装置のシステム構成に、給湯側フレームロッド電極５を加えた構成を有している。また、本実施例では、図２（ａ）、図３に示すようなバーナ構成と、図２（ｂ）の平面図に示すパイロットバーナ構成を有しており、以下、パイロットバーナ３８に設けたフレームロッド電極は、パイロット側フレームロッド電極という。
【００４１】
図２、図３に示すように、本実施例では、パイロットバーナ３８が第一、第二、第三の炎口１，２，３を有し、熱電対を用いる場合には、第一の炎口１には、該第一の炎口１から出る炎の熱を検出する熱電対４４が設けられ、第二の炎口２には、該第二の炎口２から出る炎を検出するパイロット側フレームロッド電極４が設けられ、第三の炎口３には、パイロットバーナ３８に点火するイグナイタ電極４３が設けられている。給湯メインバーナ１０の炎口には、パイロットバーナ３８の近傍側に、給湯メインバーナ１０の炎口から出る炎を検出する給湯側フレームロッド電極５が設けられている。
【００４２】
なお、給湯側フレームロッド電極５の配設場所は、必ずしもパイロットバーナ３８の近傍側とは限らない。また、本実施例で熱電対を用いない場合には、例えば、第一の炎口１と第三の炎口３から出る炎を検出するパイロット側フレームロッド電極４を設け（電極４を２つの炎口１，３をまたがるように設け）、第二の炎口２には、パイロットバーナ３８に点火するイグナイタ電極４３を設けてもよい。
【００４３】
また、本実施例では、器具栓３４を消火位置から点火位置に移動させてパイロットバーナ３８への点火操作を１回行う毎に、器具栓３４を前記点火位置から前記消火位置に戻してからでないと（つまり、器具栓つまみ４８を「口火」の位置から「止」の位置に戻してからでないと）、パイロットバーナ３８の再点火操作を行えない構成を成している。
【００４４】
さらに、本実施例では、図１に示すように、制御装置５５内に、回数検出手段６１、メモリ部６２、燃焼強制禁止制御手段６３、弁閉制御手段６４、時計機構６５、通電手段６６を設けた制御構成を有している。
【００４５】
回数検出手段６１は、パイロットバーナ３８への点火操作が行われたにもかかわらず、パイロットバーナ３８に点火が行われなかった点火不良回数と、給湯メインバーナ１０への着火操作が行われたにもかかわらず、給湯メインバーナ１０に着火が行われなかった着火不良回数および、風呂メインバーナ３９への着火操作が行われたにもかかわらず、風呂メインバーナ３９に着火が行われなかった着火不良回数と、給湯メインバーナ１０と風呂メインバーナ３９の少なくとも一方の燃焼中に炎が消えた炎立ち消え回数とをそれぞれ検出する。
【００４６】
具体的には、回数検出手段６１は、器具栓スイッチ５２（５２ａ，５２ｂ，５２ｃ）のオン信号とオフ信号を受けて、器具栓３４の手動操作によるパイロットバーナ３８の点火操作や給湯メインバーナ１０の着火操作や風呂メインバーナ３９の着火操作が行われたことを検知する。
【００４７】
例えば、回数検出手段６１は、器具栓スイッチ５２ａがオンとなった後に、器具栓スイッチ５２ｃがオンとなったとき（器具栓スイッチ５２ｂはオフ）には、表１、表２、図８、図９に示したように、器具栓つまみ４８が「口火」の位置に操作されてパイロットバーナ３８への点火操作が行われたことを検出する。この場合、回数検出手段６１は、パイロットバーナ３８にイグナイタ電極４３からの放電による点火動作が行われたか否かをパイロット側フレームロッド電極４により検出し（図７のステップＳ８、参照）、パイロット側フレームロッド電極４による炎検出が行われなかったとき（炎が検出されずに、図７のステップＳ１２に示すように、例えば５秒たったとき）には、パイロットバーナ３８に点火が行われなかったと判断し（図７のステップＳ１３、参照）、点火不良回数として数える。なお、回数検出手段６１は、パイロットバーナ３８に点火動作が行われたか否かを熱電対４４の起電力に基づいて判断してもよい。
【００４８】
また、パイロットバーナ３８の点火操作後、器具栓スイッチ５２ａがオフとなり、器具栓つまみ４８が「給湯・シャワー」の位置に操作されて器具栓スイッチ５２ｃのオンに加えて器具栓スイッチ５２ｂもオンになり（表１、表２、参照）、かつ、水自弁スイッチ５１がオンになった場合に、回数検出手段６１は、給湯メインバーナ１０への着火操作が行われたことを検出する。この場合、回数検出手段６１は、給湯メインバーナ１０に着火動作が正常に行われたか否かを給湯側フレームロッド電極５により検出し（図１０のステップＳ９、参照）、図１０のステップＳ１０で、３秒経過しても、給湯側フレームロッド電極５による炎検出が行われなかったときには、給湯メインバーナ１０に着火が行われなかったと判断し（図１０のステップＳ１１、参照）、給湯メインバーナ１０の着火不良回数として数える（図１０のステップＳ１２、参照）。
【００４９】
さらに、給湯メインバーナ１０への着火後、給湯側フレームロッド電極５によって、給湯メインバーナ１０の炎立ち消え状態が検出されたとき、つまり、器具栓スイッチ５２ａがオフ、器具栓スイッチ５２ｂ，５２ｃがオンであり、水自弁スイッチ５１がオンのときに、給湯メインバーナ１０が燃焼しているはずであるにもかかわらず、給湯側フレームロッド電極５による炎検出信号が出力されなくなったときには（図１０のステップ１５、参照）、給湯メインバーナ１０の炎立ち消えが生じたと判断し（図１０のステップＳ１６、参照）、給湯メインバーナ１０の炎立ち消え回数として数える。
【００５０】
そして、回数検出手段６１は、以上のようにしてそれぞれ検出した（数えた）点火不良回数、着火不良回数、立ち消え回数を、燃焼強制禁止制御手段６３に加える。
【００５１】
また、本実施例において、全バーナ１０，３８，３９の燃焼強制停止およびパイロットバーナ３８への再点火動作の禁止を判断するための条件として、前記点火不良回数と前記着火不良回数と前記炎立ち消え回数のそれぞれについて判断基準回数を予め設定してもよい。例えば判断基準回数の例として、点火不良回数の判断基準回数は１０回、着火不良回数の判断基準回数は３回、炎立ち消え回数の判断基準回数は１回と設定し、これらの値をメモリ部６２に予め格納してもよい。
【００５２】
燃焼強制禁止制御手段６３は、回数検出手段６１により検出される点火不良回数の検出値と着火不良回数の検出値と炎立ち消え回数の検出値とをそれぞれ区別して、それぞれの検出値を対応する前記判断基準回数（例えば、点火不良回数の判断基準回数は１０回、着火不良回数の判断基準回数は３回、炎立ち消え回数の判断基準回数は１回）と比較し、前記検出値の少なくとも一つが対応する判断基準回数に達したときには（図７のステップＳ１５、図１０のステップＳ１３、参照）、弁閉制御手段６４に指令を加え、弁閉制御手段６４によって電磁弁５４を強制的に閉じ、全てのバーナ１０，３８，３９の燃焼を強制的に停止する（図７のステップＳ１６、参照）。なお、前記炎立ち消え回数の判断基準回数は１回と設定されているので、図１０のステップＳ１６で炎立ち消えが生じたと判断されたときには、直接、図７のステップＳ１６に進む。
【００５３】
また、燃焼強制禁止制御手段６３は、このバーナ１０，３８，３９の強制停止動作と共に、その後、パイロットバーナ３８の再点火操作が行われても、予め定められた設定禁止期間（例えば５分間）は、点火手段であるイグナイタへの通電を強制的に禁止してパイロットバーナ３８の点火動作を強制的に禁止する。つまり、燃焼強制禁止制御手段６３は、時計機構６５により検出される時間を取り込み、前記設定禁止期間中は、通電手段６６による図示されないイグナイタ（点火トランス）への通電を強制的に禁止し、イグナイタ電極４３により火花を飛ばす動作を禁止することによって、パイロットバーナ３８の点火動作を強制的に禁止する。このように、例えば５分間といった設定禁止期間を設けてパイロットバーナ３８の点火動作を強制的に禁止することにより（図７のステップＳ２１、参照）、この間にケースの底に溜まった燃料ガスの換気を確実とする。
【００５４】
なお、前記のような点火不良回数と着火不良回数と炎立ち消え回数のそれぞれについての判断基準回数は、以下の事項に基づいて設定されているものであり、この判断基準回数の設定によって、本実施例では、大きな着火音の発生等が生じる量の燃料ガス（生ガス）がバーナの炎口の下側に溜まった状態で、その生ガスに一気に火が着くことによる大きな着火音の発生や、入浴中に停電となり、暗い中で足を滑らす等の不具合を確実に防ぐことができる。
【００５５】
まず、点火不良回数についての判断基準回数の設定について述べる。プロパンガスの発熱量は２３６８０ｋｃａｌ／Ｎｍ３であり、それに対し、例えば、底面積が５４０ｍｍ×２３０ｍｍで、底面から炎口までの高さが７０ｍｍの位置のパイロットバーナ３８の場合、パイロットバーナ３８の炎口よりも下に形成されている空間の（ガスの流入可能な）体積は、５４０×２３０×７０＝０．００８６９４ｍ３である。そして、パイロットバーナ３８の発熱により生じるカロリーが２５０ｋｃａｌ／ｈ（ｈは時間）の場合、燃焼限界（爆発限界とも言う）を例えば１．８％とすると（プロパンガスの燃焼限界は、通常９．５〜２．１％だが、ブタン等が混ざると１．８％位となる場合もある）、器具底面に溜まる燃焼可能な生ガスは、２５０［ｋｃａｌ／ｈ］÷６０［ｍｉｎ（分）／ｈ］÷２３６８０［ｋｃａｌ／Ｎｍ３］÷１．８％（０．０１８）＝０．００９７７５Ｎｍ３／ｍｉｎとなる。
【００５６】
パイロットバーナ３８の点火不良によって生ガスが発生することにより、パイロットバーナ３８の着火時に大きな音がするといった支障が生じる（以下、異常着火が生じるともいう）のに要する時間は、例えばパイロットバーナ３８から放出された濃い生ガスが薄く（時間をかけて放出されるので、例えば燃焼限界下限値の１．８％に）なったような場合を、器具底面積、パイロットバーナ３８の炎口と器具底面との距離、パイロットバーナ３８の消費ガス量、燃焼限界、に基づいて想定した場合、異常着火が生じると想定される時間は、最短で５３秒（０．００８６９４ｍ２÷０．００９７７５ｍ２×６０秒＝５３秒）と想定される。
【００５７】
本実施例において、パイロットバーナ３８の点火不良を判断するために必要な判断時間（点火不良の検出時間）は１回につき５秒であるので、パイロットバーナ３８の点火不良が連続１０回生じた場合、５０秒となり、パイロットバーナ３８の点火不良による生ガスの発生によりパイロットバーナ３８の異常着火が生じると想定される時間（５３秒）より短い。したがって、パイロットバーナ３８の点火不良が連続１０回生じた後にパイロットバーナ３８への点火が行われても、前記異常着火は生じない。
【００５８】
なお、パイロットバーナ３８の点火不良を判断するために必要な判断時間は１回に付き５秒あるが、例えば２秒間で手を離してしまう使用者もいる。このような場合には、トータル時間（５２ａ、５２ｂがＯＮしている時間）５０秒（２秒＋5秒＋・・・）でロックさせるようにしてもよい。すなわち、点火不良回数と着火不良回数と炎立ち消え回数のそれぞれについての判断基準回数に変えて、異常着火が生じると想定される時間より短い判断基準時間を用いるようにしてもよい。
【００５９】
また、本実施例では、前記の如く、パイロットバーナ３８への点火操作を１回行う毎に、器具栓つまみ４８を「口火」の位置から「止」の位置に戻してからでないと、パイロットバーナ３８の再点火操作を行えないので、この器具栓つまみ４８を「口火」の位置から「止」の位置に戻す作業中に自然換気され、さらに安全性が高められ、確実にパイロットバーナ３８の異常着火を防ぐことができる。
【００６０】
なお、本実施例において、この器具栓つまみ４８を「口火」の位置から「止」の位置に戻す操作によって制御装置５５の電源がオフする構成とすると、回数検出手段６１による検出回数がリセットされてしまうので、例えば電源がオフしても例えば１分間といった設定記憶時間は回数検出手段６１がその検出回数を記憶しておくように構成されている。つまり、設定記憶時間内に再度、パイロットバーナ３８の点火操作を繰り返し行えば、回数検出手段６１によって検出される点火不良回数は連続して記憶される。また、設定記憶時間内にはパイロットバーナ３８の点火操作が行われなかった場合（設定記憶時間を超えるだけの長い時間の後に再点火操作を行うような利用者の場合）は、再点火操作までの間に燃料ガスの換気が進むことになり、再点火操作が連続して繰り返し行われる場合のように、燃料ガスがバーナの底部に溜まって着火時に大きな音がするといった支障は生じないと考えられる。
【００６１】
さらに、前記設定記憶時間は、回数検出手段６１の記憶回数に応じて可変してもよい。すなわち、パイロットバーナ３８の点火不良が連続９回生じた後、１分間といった設定記憶時間経過後に再度パイロットバーナ３８の点火不良が連続９回生じた場合には、換気時間（点火不良１回当たり例えば０．５分＝設定禁止期間の初期値（例えば５分）÷判断基準回数（例えば１０回））が不足する。そこで、点火不良が連続して生じた回数をＹ回として（Ｙは正の整数）、連続Ｙ回生じた後の前記設定記憶時間を予め定められた設定禁止期間に応じて（すなわち換気時間に応じて）、設定記憶時間を、例えば前記のような、１分といった固定の値から可変することが好ましい。例えば点火不良が連続９回生じた場合の設定記憶時間は、設定禁止期間の初期値（例えば５分）×設定記憶時間（例えば１分）×Ｙ回÷判断基準回数（例えば１０回）＝４．５分とすることが好ましい。なお、単純に設定禁止期間（例えば５分）と設定記憶時間を同じにして、監視を強化してもかまわない。
【００６２】
次に、着火不良回数についての判断基準回数の設定について述べる。給湯メインバーナ１０の発熱により生じるカロリーは、能力切替つまみ４９の手動設定値の最大値である１５０００ｋｃａｌ／ｈ（ｈは時間）の場合、燃焼限界は通常９．５〜２．１％だが、濃い生ガスは瞬時に出るような場合、ケース下部に溜まるガスのうち下側は濃く、上側が薄く燃焼限界の通常９．５％となる場合が想定され、平均を例えば２０．４％とすると、器具底面に溜まる燃焼可能な生ガスは、１５０００［ｋｃａｌ／ｈ］÷６０［ｍｉｎ（分）／ｈ］÷２３６８０［ｋｃａｌ／Ｎｍ３］÷２０．４％（０．２０４）＝０．５８６５２４Ｎｍ３／ｍｉｎとなる。
【００６３】
つまり、給湯メインバーナ１０の着火（火移り）不良によって生ガスが発生すると、この濃い生ガスは瞬時に大量に出るので、パイロットバーナ３８から放出された濃い生ガスのように薄く（例えば１．８％に）なる時間的余裕はない。また着火（火移り）不良が生じる条件としては、ある程度強い風が吸気口からケース内に流れ込んでいると考えられる。つまり、図６（ａ）に示したような燃焼装置内を流れる風が強いため、燃料ガスの揺らぎが図６（ｂ）に示すように大きく、その揺らぎによって溜まった燃料ガスの表面が希釈されやすい状態である。すなわち、燃焼限界である通常９．５〜２．１％より濃い生ガスが溜まっても、表面の一部は燃焼限界範囲に入ると考えられるので、給湯メインバーナ１０の炎口から出る濃度が若干下がる値（例えば２０．４％）を想定した場合、給湯メインバーナ１０の炎口から出る生ガスに一気に火がついて、着火時に大きな音がするといった支障が生じると想定される時間は、器具底面積、パイロットバーナ３８の炎口と器具底面との距離、給湯メインバーナ１０の最大消費ガス量、給湯メインバーナ１０の炎口から出るガス濃度、に基づいて、最短で１０秒と想定される。
【００６４】
本実施例において、給湯メインバーナ１０の着火不良を判断するために必要な判断時間（着火不良の検出時間）は１回につき３秒であるので、給湯メインバーナ１０の着火不良が連続３回生じた場合、９秒となり、前記異常着火が生じると想定される時間（１０秒）より短い。そのため、給湯メインバーナ１０の着火不良が連続３回生じたときには電磁弁５４を閉じることにより、給湯メインバーナ１０の着火不良により発生してバーナ１０，３９の底に溜まった生ガスに一気に火が着いて、大きな音がするといったことを防ぐことができる。
【００６５】
なお、給湯メインバーナ１０の着火不良時において、前記設定記憶時間を回数検出手段６１の記憶回数に応じて可変してもよく、このことは、パイロットバーナ３８の点火不良の時と同じである。すなわち、給湯メインバーナ１０の着火不良が連続２回生じた後、１分間といった設定記憶時間経過後に、再度給湯メインバーナ１０の着火不良が連続２回生じた場合には、換気時間が、着火不良１回当たり例えば１．７分が不足する。（設定禁止期間の初期値（例えば５分）÷判断基準回数（例えば３回）＝１．７分）そこで、着火不良が連続Ｙ回生じた後の前記設定時間を予め定められた設定禁止期間に応じて（すなわち掃気時間に応じて）、以下の計算で求める等して、設定記憶時間を可変することが好ましい。つまり、例えば着火不良が連続２回生じた場合の設定記憶時間は、設定禁止期間の初期値（例えば５分）×設定記憶時間（例えば１分）×Ｙ回÷判断基準回数（例えば３回）＝３．３分とすることが好ましい。
【００６６】
また、単純に設定禁止期間（例えば５分）と設定記憶時間を同じにして監視を強化してもかまわない。さらに、給湯メインバーナ１０の着火不良を判断するために必要な判断時間は１回に付き３秒あるが、例えば２秒間で給湯栓９を閉じてしまう使用者もいる。このような場合には、トータル時間（マイクロスイッチ５２ｂ、５２ｃ、水自弁スイッチ５１が共にＯＮしている時間）１０秒（２秒＋5秒＋・・・）でロックさせるようにしてもよい。
【００６７】
さらに、例えばパイロットバーナ３８の点火不良が連続７回（点火不良判断基準回数の７０％）生じた後、パイロットバーナ３８への点火が成功した直後に、給湯メインバーナ１０の着火不良が生じた場合には、例えば着火不良判断基準回数の設定を３回から１回に変更してもよい。つまり、パイロットバーナ３８の点火不良が連続７回生じると、この点火不良判断基準回数の７０％となった時点で、器具の底面に燃焼可能な生ガスが、ある程度（この場合、例えば７０％位のように）溜まるので、その後に着火不良が生じたときに、着火不良判断基準回数の１００％に達するように、着火不良判断基準回数を３回としてしまうと、パイロットバーナ３８の炎口よりも下に形成されている空間以上の体積の燃焼可能なガスが蓄積されてしまうことになる。
【００６８】
そこで、このような場合には、着火不良判断基準回数の設定を３回から１回にしてもよい。なお、このように１回着火不良判断基準回数の設定を３回から１回にすると、器具の底面に燃焼可能な生ガスの量は、点火不良判断基準回数の７０％＋着火不良判断基準回数の３３％＝１０３％となる。同様に、例えばパイロットバーナ３８の点火不良が連続４回（点火不良判断基準回数の４０％）生じた後にパイロットバーナ３８への点火が成功した直後に、給湯メインバーナ１０の着火不良が生じた場合には、例えば着火不良判断基準回数の設定を３回から２回に変更してもよく、この場合、器具の底面に燃焼可能な生ガスの量は、点火不良判断基準回数の４０％＋着火不良判断基準回数の６６％＝１０６％となる。
【００６９】
これらのように、点火不良が連続して生じた後にパイロットバーナ３８への点火が成功した直後に、給湯メインバーナ１０の着火不良が生じた場合には、点火不良判断基準回数と着火不良判断基準回数とを総合的に考慮し、点火不良と着火不良で器具底面に溜まる燃焼可能な生ガス量が、トータルで、１０３％や１０６％等、例えば１００％以上、かつ、１００％近傍の値となるように、器具底面に溜まる燃焼可能な生ガス量に基づいた判断をするようにして、判断基準回数を可変してもよい。また、このように、点火不良と着火不良で器具底面に溜まる燃焼可能な生ガス量が、トータルで、前記のように、１０３％や１０６％等、多いと判断した場合には、設定禁止期間を可変してもよい。さらに、燃焼装置の設置条件（ウインドサッシ設置、ダクト設置等）に応じて、前記判断基準回数を可変できるようにしてもよい。
【００７０】
次に、炎立ち消え回数についての判断基準回数の設定について述べる。給湯メインバーナ１０の炎立ち消えが生じる条件として、装置内における風による揺らぎが一因として考えられる。つまり、図６（ａ）に示したような燃焼装置内を流れる風が強いため、炎立ち消え回数の判断基準回数は１回と設定し、炎立ち消えが検出されたときには、即座にバーナ１０，３８，３９の燃焼停止が行えるようにしている。
【００７１】
それは、例えば、前記揺らぎは台風等が原因と考えられる為であり、入浴中に停電等が発生すると、浴室で転倒しやすい等、入浴に適さない条件と考えられるからである。通常の商用電源を用いる機器では、停電と同時に使用不可となるため前記入浴に適さない条件では即座に使用できなくなるが、本願のように電池を用いて入浴に際して使用する機器においては、前記入浴に適さない条件でも使用できてしまっていた。そこで、不適切な状況での使用を回避ためにも、炎立ち消えが検出されたならば即座に使用出来ない状態とし、かつ、例えば５分間といった風が弱まったか否かを再判断する期間としての設定禁止期間を設け、給湯の再使用をも強制的に禁止する。なお、点火不良、着火不良での設定禁止期間と異なるのは、炎立ち消えでの設定禁止期間がケースの底に溜まった燃料ガスの換気として設けられていない点である。
【００７２】
なお、本発明は、前記実施例に限定されるものでなく、適宜設定されるものである。例えば、前記実施例では、点火手段をイグナイタとし、燃焼強制禁止制御手段６３は、設定禁止期間中は通電手段６６によるイグナイタへの通電を強制的に禁止し、イグナイタ電極４３により火花を飛ばす動作を禁止することによって、パイロットバーナ３８の点火動作を強制的に禁止するようにしたが、別の方法によって、パイロットバーナ３９の点火動作を強制的に禁止するようにしてもよい。
【００７３】
また、前記実施例では、パイロットバーナ３８への点火操作を１回行う毎に、器具栓つまみ４８を「口火」の位置から「止」の位置に戻してからでないと、パイロットバーナ３８の再点火操作を行えない構成としたが、この構成は設けなくてもよい。その場合は、点火不良回数について設定する判断基準回数を１０回よりも少ない回数とすることが好ましい。
【００７４】
さらに、本発明の燃焼装置に適用されるバーナの構成は図２、図３に示した構成とは限らず、適宜設定されるものであり、回数検出手段６１によって、点火不良、着火不良、炎立ち消えの検出ができるような構成とすればよい。
【００７５】
さらに、前記実施例では回数検出手段６１は点火不良回数、着火不良回数、立ち消え回数それぞれを検出する構成としたが、いずれか１つ以上を検出する構成としてもよい。
【００７６】
さらに、前記実施例では、燃焼室６０内に、給湯メインバーナ１０と風呂メインバーナ３９の両方を設けたが、給湯メインバーナ１０と風呂メインバーナ３９のうち、いずれか一方とパイロットバーナ３８とを金属製の燃焼室６０内に設けた構成の燃焼装置であってもよい。
【００７７】
さらに、本発明の燃焼装置は、給排気トップが器具に直接取り付けられるバランス型風呂釜（ＢＦ−Ｗ）に限定されるものではなく、ファンのない密閉燃焼型機器であればよく、例えば乾電池を電源としたチャンバー式ダクト式の燃焼装置であっても構わず、また、ＤＰ（ダブルパイプ）型の燃焼装置（ＢＦ−ＤＰ）であってもよい。また、給湯メインバーナ１０の着火不良のみについて述べたが、風呂メインバーナ３９に対応するフレームロッド電極を設けて、給湯と風呂の両方の着火不良や炎立ち消えについて対応するようにしてもよいし、風呂メインバーナ３９にのみフレームロッド電極を設けて、風呂のみ着火不良や炎立ち消えについて対応するようにしてもよい。
【産業上の利用可能性】
【００７８】
本発明は、点火不良や着火不良や炎立ち消えが生じた際の危険を回避し、その後の再点火により異常着火が生じることを防ぐことができるので、風呂や給湯等の機能を有する安全な燃焼装置として利用できる。
【符号の説明】
【００７９】
１      第一の炎口
２      第二の炎口
３      第三の炎口
４      パイロット側フレームロッド電極
５      給湯側フレームロッド電極
１０    給湯メインバーナ
３８    パイロットバーナ
３９    風呂メインバーナ
４３    イグナイタ電極
４４    熱電対
５４    電磁弁
５５    制御装置
６１    回数検出手段
６２    メモリ部
６３    燃焼強制禁止制御手段
６４    弁閉制御手段
６５    時計機構
６６    通電手段
【図１】
0006010276.tif 000004
【図２】
0006010276.tif 000005
【図３】
0006010276.tif 000006
【図４】
0006010276.tif 000007
【図５】
0006010276.tif 000008
【図６】
0006010276.tif 000009
【図７】
0006010276.tif 000010
【図８】
0006010276.tif 000011
【図９】
0006010276.tif 000012
【図１０】
0006010276.tif 000013
【図１１】
0006010276.tif 000014
【図１２】
0006010276.tif 000015